(57)【要約】【課題】ヒッグス粒子は何か。【解決手段】高エネルギー加速器の場のエネルギーは、A=3×108です。それで、クオークの場合、6.250×108個の電磁気は1輪に成っている。この電磁気の輪が崩壊するとA=2.083×104の場で、電磁気は4.34×104個が1束になる。更に低エネルギーのA=0.48の場で、電磁気1束は1個になる。地表はA=1ですから、電磁気1束には2個の電磁気が存在する。これがヒッグス粒子です。高エネルギー加速器の場の素粒子の中にはクオークやその他の種類の電磁気の束が存在し、これが地表で崩壊すると、地表はA=1の場であるから、電磁気1束には2個の電磁気が存在する。これがヒッグス粒子です。【選択図】図１
2019009845.tif 000002
【特許請求の範囲】
【請求項１】
クオークの場合、1束の電磁気数はどのような式で求められるか。（この課題に関しては、特願2015-216356の「請求項1」に記した）
クオークの場合、1束の電磁気数を求める式は、次のようである。
1束の電磁気数＝場のA÷0.48
A=3×108の場合。
1束の電磁気数＝場のA÷0.48＝3×108÷0.48＝6.250×108個
A=2.083 ×104の場合。
1束の電磁気数＝場のA÷0.48＝2.083 ×104÷0.48＝4.34×104個
A=0.48の場合。
1束の電磁気数＝場のA÷0.48＝0.48÷0.48＝1個
表に示す。
クオークの場合、1束の電磁気数＝場のA÷0.48
表１
2019009845.tif 000005
高エネルギー加速器の場のエネルギーは、A=3×108です。それで、6.250×108個の電磁気は1輪に成っている。この電磁気の輪が崩壊するとA=2.083×104の場で、電磁気は4.34×104個が1束になる。更に低エネルギーのA=0.48の場で、電磁気は1個になる。
地表はA=1ですから、電磁気1束には2個の電磁気が存在する。これがヒッグス粒子です。
即ち、地表に於いて、クオークが崩壊する時、地表はA=1の場であるから、電磁気の１束は電磁気2個に成る。これがヒッグス粒子です。
【請求項２】
高エネルギー加速器で加速され、素粒子の中の電磁気は、クオークやその他の種類の電磁気の束になります。この電磁気の束は崩壊され地表でどのようになるか。
高エネルギー加速器で加速された素粒子の中の電磁気は、クオークやその他の種類の電磁気の束に成る。素粒子と素粒子が衝突し、素粒子の中の電磁気の束が放出します。その電磁気の束は崩壊する。A=1の地表の場では、全ての電磁気の束は、電磁気2個の束まで崩壊する。  
【請求項３】
ヒッグス粒子とは何か。
高エネルギー加速器で加速された素粒子が衝突し、素粒子の中の電磁気の束が放出し、崩壊するとき、地表のエネルギーと同じエネルギーまで崩壊する。
地表のエネルギーは、A=1であり、地表で崩壊する時、電磁気の束は電磁気2個の束になるまで崩壊する。これがヒッグス粒子です。
【請求項４】
地表はヒッグス粒子で満ちている。この事は何を意味するか。
地表のAは１であるので、電磁気1束には2個の電磁気が存在する。
即ち、地表のエネルギーは電磁気2個が1束になった場である。
【発明の詳細な説明】
【技術分野】
【０００１】
本発明は、ヒッグス粒子に関するものである。
【背景技術】
【０００２】
私は、2015年11月4日に提出した、特願2015-216356、「マイナスの宇宙のエネルギー。ビッグバンから始まった宇宙を「プラスの宇宙」とし、ビッグバンに至る宇宙を「マイナスの宇宙」とする。進む方向が逆であるからです。」の「請求項1」に次のように記した。
「請求項1」    クオークの場合、1束の電磁気数はどのような式で求められるか。
クオークの場合、1束の電磁気数を求める式は、次のようである。
1束の電磁気数＝場のA÷0.48
A=3×108の場合。
1束の電磁気数＝場のA÷0.48＝3×108÷0.48＝6.250×108個
A=2.083 ×104の場合。
1束の電磁気数＝場のA÷0.48＝2.083 ×104÷0.48＝4.34×104個
A=0.48の場合。
1束の電磁気数＝場のA÷0.48＝0.48÷0.48＝1個
表に示す。
クオークの場合、1束の電磁気数＝場のA÷0.48
表１
2019009845.tif 000003
【先行技術文献】
【特許文献】
【０００３】
【特許文献１】特願2015-216356
【発明の概要】
【発明が解決しようとする課題】
【０００４】
1．クオークの場合、1束の電磁気数はどのような式で求められるか。（この課題に関しては、特願2015-216356の「請求項1」に記した）
2．高エネルギー加速器で加速され、素粒子の中の電磁気は、クオークやその他の種類の電磁気の束になります。この電磁気の束は地表で、どのようになるか。
3．ヒッグス粒子とは何か。
4．地表はヒッグス粒子で満ちている。この事は何を意味するか。
【課題を解決するための手段】
【０００５】
1．クオークの場合、1束の電磁気数を求める式は、次のようである。
1束の電磁気数＝場のA÷0.48
2．地表のA＝1です。
3．高エネルギー加速器で加速された素粒子が衝突し、素粒子の中の電磁気の束が放出し、崩壊するとき、地表のエネルギーと同じエネルギーまで崩壊する。
4．地表のAは１であるので、電磁気1束には2個の電磁気が存在する。
【発明の効果】
【０００６】
1．A=1の場合。1束の電磁気数＝場のA÷0.48＝1÷0.48＝2個
2．束の電磁気数＝場のA÷0.48＝1÷0.48＝2個
A=1の地表の場では、全ての電磁気の束は、電磁気2個の束まで崩壊する。
3．地表のエネルギーは、A=1であり、地表で崩壊する時、電磁気の束は電磁気2個の束になるまで崩壊する。これがヒッグス粒子です。
4．即ち、地表のエネルギーは電磁気2個が1束になった場である。
【図面の簡単な説明】
【０００７】
【図１】図１はクオークの崩壊を図示する。高エネルギー加速器の場のエネルギーは、A=3×108です。それで、クオークの1輪の電磁気数は6.250×108個に成っている。素粒子と素粒子が衝突し、素粒子の中の電磁気の輪が放出します。この電磁気の輪が崩壊するとA=2.083×104のエネルギーの場で、1束の電磁気数は4.34×104個になる。更に低エネルギーのA=0.48の場で、電磁気は1個になる。地表はA=1ですから、1束の電磁気数は2個になる。これがヒッグス粒子です。即ち、クオークの崩壊でA=1の場まで進んだものが電磁気2個のヒッグス粒子です。地表はA=1で、電磁気2個が1束になっているエネルギーの場です。
【図２】図2は高エネルギー加速器で加速された素粒子の中のクオークやその他の種類の電磁気の束の崩壊を図示する。高エネルギー加速器で加速された素粒子の中の電磁気は、クオークやその他の種類の電磁気の束に成る。素粒子と素粒子が衝突し、素粒子の中の電磁気の束が放出します。その電磁気の束は崩壊する。A=1の地表の場では、全ての１束の電磁気数は電磁気2個まで崩壊する。これがヒッグス粒子です。
【発明を実施するための形態】
【０００８】
１．    クオークの場合、1束の電磁気数はどのような式で求められるか。（この課題に関しては、特願2015-216356の「請求項1」に記した）
クオークの場合、1束の電磁気数を求める式は、次のようである。
1束の電磁気数＝場のA÷0.48
A=3×108の場合。
1束の電磁気数＝場のA÷0.48＝3×108÷0.48＝6.250×108個
A=2.083 ×104の場合。
1束の電磁気数＝場のA÷0.48＝2.083 ×104÷0.48＝4.34×104個
A=0.48の場合。
1束の電磁気数＝場のA÷0.48＝0.48÷0.48＝1個
表に示す。
クオークの場合、1束の電磁気数＝場のA÷0.48
表１
2019009845.tif 000004
高エネルギー加速器の場のエネルギーは、A=3×108です。それで、6.250×108個の電磁気は1輪に成っている。この電磁気の輪が崩壊するとA=2.083×104の場で、電磁気は4.34×104個が1束になる。更に低エネルギーのA=0.48の場で、電磁気は1個になる。
地表はA=1ですから、電磁気1束には2個の電磁気が存在する。これがヒッグス粒子です。
即ち、地表に於いて、クオークが崩壊する時、地表はA=1の場であるから、電磁気の１束は電磁気2個に成る。これがヒッグス粒子です。
２．    高エネルギー加速器で加速され、素粒子の中の電磁気は、クオークやその他の種類の電磁気の束になります。この電磁気の束は崩壊され地表でどのようになるか。
高エネルギー加速器で加速された素粒子の中の電磁気は、クオークやその他の種類の電磁気の束に成る。素粒子と素粒子が衝突し、素粒子の中の電磁気の束が放出します。その電磁気の束は崩壊する。A=1の地表の場では、全ての電磁気の束は、電磁気2個の束まで崩壊する。    
３．    ヒッグス粒子とは何か。
高エネルギー加速器で加速された素粒子が衝突し、素粒子の中の電磁気の束が放出し、崩壊するとき、地表のエネルギーと同じエネルギーまで崩壊する。
地表のエネルギーは、A=1であり、地表で崩壊する時、電磁気の束は電磁気2個の束になるまで崩壊する。これがヒッグス粒子です。
４．    地表はヒッグス粒子で満ちている。この事は何を意味するか。
地表のAは１であるので、電磁気1束には2個の電磁気が存在する。
即ち、地表のエネルギーは電磁気2個が1束になった場である。
【産業上の利用可能性】
【０００９】
素粒子を知ることは産業を発展させる。
【符号の説明】
【００１０】
１    高エネルギー加速器の場のエネルギーは、A=3×108 
２    クオークの1輪の電磁気数は6.250×108個
３    A=2.083×104のエネルギーの場  
４    1束の電磁気数は4.34×104個
５    地表はA=1    
６    1束の電磁気数は2個になる。これがヒッグス粒子
７    高エネルギー加速器で加速された素粒子の中のクオークやその他の種類の電磁気の束    
８    A=1の地表の場では、全ての１束の電磁気数は電磁気2個まで崩壊する。これがヒッグス粒子
【図１】
2019009845.tif 000006
【図２】
2019009845.tif 000007